(57)【要約】【課題】折り畳み安く、且つ収納物の安定性が良いバッグを提供すること。【解決手段】バッグ本体１０と、バッグ本体１０の背面に設けられた上下に伸縮可能な把手２０と、バッグ本体１０の底面１２の背面１１側の端近傍に所定の間隔を空けて設けられた一対の車輪３０と、底面１２の下側に配置される底板５０と、底板５０の正面側の端近傍であって、その長手方向が前記一対の車輪を結ぶ直線と実質上平行になるように設けられたベース部材６０と、ベース部材６０に所定の間隔を空けて設けられた、静止時にバッグ本体１０を支えるための一対の脚部４０と、底板５０をバッグ本体１０に着脱可能に取り付けるための取り付け部とを備えた、バッグである。【選択図】図６
2010029549.tif 000002
【特許請求の範囲】
【請求項１】
バッグ本体と、
前記バッグ本体の背面に設けられた上下に伸縮可能な把手と、
前記バッグ本体の底面の前記背面側の端近傍に所定の間隔を空けて設けられた一対の車輪と、
前記底面の下側に配置される底板と、
前記底板の正面側の端近傍であって、その長手方向が前記一対の車輪を結ぶ直線と実質上平行になるように設けられたベース部材と、
前記ベース部材に所定の間隔を空けて設けられた、静止時に前記バッグ本体を支えるための一対の脚部と、
前記底板を前記バッグ本体に着脱可能に取り付けるための取り付け部とを備えた、バッグ。
【請求項２】
前記取り付け部は、
前記ベース部材に一端が固定された支持部と、
前記底面の前記背面近傍に設けられた支持部挿入部とを有し、
前記支持部の他端が、前記支持部挿入部に挿入されることによって、前記底板が前記バッグ本体に取り付けられる、請求項１記載のバッグ。
【請求項３】
前記取り付け部は、
前記底面の前記背面側に設けられ、少なくとも前記正面側に開口部を有する底板挿入部を有し、
前記底板挿入部に、前記底板の前記背面側の端が挿入されることによって、前記底板が前記バッグ本体に取り付けられる、請求項１記載のバッグ。
【請求項４】
前記取り付け部は、
前記底面の前記背面側に設けられ、少なくとも前記正面側に開口部を有する底板挿入部を有し、
前記底板挿入部は、前記バッグ本体の外壁と前記外壁の外側に設けられた板状部の間の隙間によって形成されており、
前記底板と前記支持部の間には隙間が形成されており、
前記底板挿入部に前記底板の前記背面側の端が挿入され、前記板状部の前記正面側の端が、前記底板と前記支持部の間の隙間に挿入されることによって、前記底板が前記バッグ本体に取り付けられる、請求項２記載のバッグ。
【請求項５】
前記取り付け部は、
前記底板の下面であって前記正面側の端に設けられた第１固定部材と、
前記バッグ本体の前記正面の前記底面側の端に設けられた第２固定部材を先端に有し、前記底板の前記正面側の端を覆って前記第１保持部材と前記第２固定部材が嵌合するように形成された本体側固定部とを有する、請求項３又は４記載のバッグ。
【請求項６】
前記バッグ本体の前記正面に、一方の側面側の端から他方の側面側の端まで設けられた形状保持部を備え、
前記形状保持部は、
前記バッグ本体の形状を保持するための形状保持部材と、
前記形状保持部材が着脱可能に挿入される正面挿入部とを有する、請求項１記載のバッグ。
【発明の詳細な説明】
【技術分野】
【０００１】
本発明は、バッグに関する。
【背景技術】
【０００２】
キャスターが付属しているバッグは、一般に旅行等に用いられるが、その使用目的から大きいものが多い。しかしながら、旅行などに用いるものであるため、使用頻度が少ないにもかかわらず、大容量のため、収納に不便であった。
【０００３】
そのため、収納時にスペースをとらないように、柔らかな素材の表皮材が用いられ、折り畳むことが可能なバッグが提案されている（例えば、特許文献１参照。）。
【特許文献１】特開２００６−２０４７３６号公報
【発明の開示】
【発明が解決しようとする課題】
【０００４】
しかしながら、上記特許文献１のバッグでは、同一面にキャスターと脚部が固定されているため、折り畳む際に困難であった。
【０００５】
又、キャスターを利用してバッグを運搬する際には、キャスターが設けられている面が底面となり、収納物の重みが加わることになるが、その面にも柔らかな素材が用いられているため、撓み等が発生し、収納物の安定性が悪かった。
【０００６】
本発明は、上記従来のバッグの課題を考慮して、折り畳み安く、且つ収納物の安定性が良いバッグを提供することを目的とする。
【課題を解決するための手段】
【０００７】
上記目的を達成するために、第１の本発明は、
バッグ本体と、
前記バッグ本体の背面に設けられた上下に伸縮可能な把手と、
前記バッグ本体の底面の前記背面側の端近傍に所定の間隔を空けて設けられた一対の車輪と、
前記底面の下側に配置される底板と、
前記底板の正面側の端近傍であって、その長手方向が前記一対の車輪を結ぶ直線と実質上平行になるように設けられたベース部材と、
前記ベース部材に所定の間隔を空けて設けられた、静止時に前記バッグ本体を支えるための一対の脚部と、
前記底板を前記バッグ本体に着脱可能に取り付けるための取り付け部とを備えた、バッグである。
【０００８】
又、第２の本発明は、
前記取り付け部は、
前記ベース部材に一端が固定された支持部と、
前記底面の前記背面近傍に設けられた支持部挿入部とを有し、
前記支持部の他端が、前記支持部挿入部に挿入されることによって、前記底板が前記バッグ本体に取り付けられる、第１の本発明のバッグである。
【０００９】
又、第３の本発明は、
前記取り付け部は、
前記底面の前記背面側に設けられ、少なくとも前記正面側に開口部を有する底板挿入部を有し、
前記底板挿入部に、前記底板の前記背面側の端が挿入されることによって、前記底板が前記バッグ本体に取り付けられる、第１の本発明のバッグである。
【００１０】
又、第４の本発明は、
前記取り付け部は、
前記底面の前記背面側に設けられ、少なくとも前記正面側に開口部を有する底板挿入部を有し、
前記底板挿入部は、前記バッグ本体の外壁と前記外壁の外側に設けられた板状部の間の隙間によって形成されており、
前記底板と前記支持部の間には隙間が形成されており、
前記底板挿入部に前記底板の前記背面側の端が挿入され、前記板状部の前記正面側の端が、前記底板と前記支持部の間の隙間に挿入されることによって、前記底板が前記バッグ本体に取り付けられる、第２の本発明のバッグである。
【００１１】
又、第５の本発明は、
前記取り付け部は、
前記底板の下面であって前記正面側の端に設けられた第１固定部材と、
前記バッグ本体の前記正面の前記底面側の端に設けられた第２固定部材を先端に有し、前記底板の前記正面側の端を覆って前記第１保持部材と前記第２固定部材が嵌合するように形成された本体側固定部とを有する、第３又は４の本発明のバッグである。
【００１２】
又、第６の本発明は、
前記バッグ本体の前記正面に、一方の側面側の端から他方の側面側の端まで設けられた形状保持部を備え、
前記形状保持部は、
前記バッグ本体の形状を保持するための形状保持部材と、
前記形状保持部材が着脱可能に挿入される正面挿入部とを有する、第１の本発明のバッグである。
【発明の効果】
【００１３】
本発明によれば、折り畳み安く、且つ収納物の安定性も良いバッグを提供することが出来る。
【発明を実施するための最良の形態】
【００１４】
以下、本発明の実施の形態のバッグについて、図面を参照しながら説明する。
【００１５】
（実施の形態１）
図１は、本発明に係る実施の形態１におけるバッグ１を示す外観図であり、図２は、バッグ１の背面図である。なお、本発明のバッグの一例として、実施の形態１では、ペットの運搬に用いられるバッグを例に挙げて説明する。
【００１６】
図１及び図２に示すように、本実施の形態１のバッグ１は、運搬物を収納するバッグ本体１０と、バッグ本体１０の背面１１に設けられた上方向に伸縮自在な把手２０と、バッグ本体１０の底面１２に設けられた一対の車輪３０と、静止時にバッグ本体を支持する脚部４０とを備えている。この把手２０は、上方向に引っ張ることによって２段階に伸びるように構成されている。
【００１７】
上記バッグ本体１０は、ナイロン等の柔らかい素材で形成されており、図１に示すように、矩形状の底面１２に対して実質上垂直に矩形状の背面１１、左側面１３、右側面１４が設けられており、正面１５は背面１１の上端から底面１２の正面側の端まで湾曲して形成されている。
【００１８】
又、正面１５には、ファスナー１７が設けられており、開閉可能に形成されている。また、バッグ１の左側面１３及び右側面１４には、ポケット１６が設けられている。又、本実施の形態１のバッグ１は、ペット運搬用であるため、左側面１３、右側面１４、及び正面１５の大部分がメッシュで形成され、通気性が確保されている。
【００１９】
又、正面１５には、左側面１３側の端から右側面１４側の端までバッグ本体１０の形状を保持するための形状保持部１０１が形成されており、形状保持部１０１は、保持部材１１１が、保持部材挿入部１１０に挿入されて構成されている。
【００２０】
図３（ａ）は、図１の左側面１３側からみた図であり、保持部材挿入部１１０に保持部材１１１を挿入する前の状態を示す図である。又、図３（ｂ）は、図３（ａ）のｓ部拡大図である。
【００２１】
図３に示すように、保持部材挿入部１１０の入口１１０ａは、左側面１３側に形成されており、この入口１１０ａから保持部材１１１が挿入される。保持部材挿入部１１０に保持部材１１１を挿入した状態が、図３（ｃ）に示されている。保持部材１１１は、細長く形成された部材である。又、入口１１０ａには、蓋１１０ｂが設けられている。蓋１１０ｂには面ファスナー１１２が設けられており、この面ファスナー１１２が、入口１１１ａの左側に設けられた面ファスナー１１３に貼り付けられることにより、入口１１０ａは蓋１１０ｂによって閉じられ、保持部材１１１が保持部材挿入部１１０内から抜けることが防ぐことが出来る。この面ファスナー１１２が面ファスナー１１３に貼り付けられた状態が、図３（ｄ）に示されている。なお、本発明の正面挿入部の一例は、本実施の形態の保持部材挿入部１１０に相当し、本発明の形状保持部材の一例は、本実施の形態の正面側の保持部材１１１に相当する。
【００２２】
又、図４（ａ）は、バッグ１の正面１５の一部を取り除いた斜視図である。図４に示すように、バッグ１の左側面１３の底面１２側を除く周囲には、バッグ本体１０の形状を保持するための保持部材１１４が設けられており、右側面１４の底面１２側を除く周囲にも保持部材１１４が設けられている。図４（ｂ）に、保持部材１１４の側面図が示されている。なお、この保持部材１１４は、バッグ本体１０に形成された数カ所の環状部１１５に通されることにより、バッグ本体１０の形状を保持している。
【００２３】
図５は、本実施の形態１のバッグ１を底面１２側から見た斜視図である。図５に示すように、一対の車輪３０は、底面１２の４隅のうち背面１１側の２つの隅の近傍の位置にそれぞれ設けられている。又、底面１２の下側には底板５０が配置されており、この底板５０は、バッグ本体１０から着脱可能に取り付けられている。
【００２４】
図６は、底板５０を取り外した状態のバッグ１と底板５０を下方から見た斜視図である。図６に示すように、底板５０には、その正面１５側の端５０ａに沿って面ファスナー５１が貼り付けられている。また、面ファスナー５１に沿ってベース部材６０が設けられている。このベース部材６０の両端、すなわち底板５０の隅近傍に脚部４０が設けられている。なお、一対の脚部４０は、図５に示すように、底板５０がバッグ本体１０に取り付けられた状態では、一対の車輪３０のそれぞれに対向する位置に配置されていることになり、バッグ本体１０は、一対の車輪３０と一対の脚部４０で支持される。
【００２５】
又、ベース部材６０には、背面１１側の端５０ｂに向かって、ベース部材６０の長手方向と垂直になるように配置された一対の棒状部材７０が設けられている。
【００２６】
一方、バック本体１０の底面１２の背面１１側には、底板５０の端５０ｂ側を挿入するための底板挿入部１２０が形成されている。
【００２７】
図７は、底板５０を取り外した状態のバッグ１の側面図である。図７に示すように、底面１２は、その背面１１側の端部１２ａから正面１５に向けて側面から見てＬ字状に形成された部材１２３を有している。この部材１２３は、実質上鉛直方向に形成された鉛直部１２３ａと、鉛直部１２３ａの下端から正面１５側に向かって実質上水平方向に形成された水平部１２３ｂから構成されており、この部材１２３とバッグ本体１０の底面１２の外壁１２ｃとの隙間によって底板挿入部１２０が形成されている。なお、本実施の形態における底面１２は、部材１２３も含んでいる。又、本発明の板状部の一例は、本実施の形態の水平部１２３ｂに相当する。
【００２８】
又、底面１２の正面側の端部１２ｂには、先端に面ファスナー１２１が設けられた底板固定部１２２が形成されている。
【００２９】
又、上述した一対の車輪３０は、底面１２の部材１２３上に設けられており、この部材１２３上の一対の車輪３０の内側には、棒状部材７０が挿入される一対の棒状部材挿入部８０が設けられている。なお、本実施の形態では、一対の車輪３０と一対の棒状部材挿入部８０は一体的に形成されている。この一体的な構成は、図６中、背面側支持部１３０として示されている。また、上記脚部４０が、前面側支持部として機能する。
【００３０】
このような、底板５０をバッグ本体１０に取り付ける際には、図６及び図７の矢印に示すように、底板挿入部１２０に底板５０が端５０ｂから挿入されるとともに、棒状部材７０が棒状部材挿入部８０に挿入される。この際、部材１２３の水平部１２３ｂは、底板５０と棒状部材７０の間に配置される。
【００３１】
次に、底板固定部１２２を底板５０の端５０ａを覆うように折り返し、面ファスナー１２１が、底板５０の面ファスナー５１に貼り付けられる。このような動作で底板５０をバッグ本体１０に取り付けた状態の拡大側面図が、図８に示されている。
【００３２】
次に、本実施の形態のバッグ１を折り畳む動作について説明する。
【００３３】
図７及び図８において説明した逆の動作を行うことによって、底板５０がバッグ本体１０から取り外される。すなわち、底板固定部１２２に設けられている面ファスナー１２１を面ファスナー５１から剥がした後、底板５０を正面１５側に引き出すことによって、底板５０がバッグ本体１０から取り外される。
【００３４】
次に、蓋１１０ｂの面ファスナー１１２を、面ファスナー１１３から剥がした後、保持部材１１１を保持部材挿入部１１０から取り出すことによって、正面１５及び底面１２の形状が変形可能となる。
【００３５】
図９（ａ）は、底板５０を取り除いた状態のバッグ１を底面側から見た平面図である。図９（ａ）に示すように、左側面１３及び右側面１４を内側に倒す（図中矢印参照）ことによって、図９（ｂ）に示すように、バッグ１は折り畳まれる。折り畳んだ状態が、図９（ｃ）の斜視図に示されている。
【００３６】
なお、組み立てる際には、左側面１３及び右側面１４を起こし、底板５０をバッグ本体１０に取り付けた後、保持部材１１１を保持部材挿入部１１０に挿入することによって、図１に示すバッグ１が組み立てられる。
【００３７】
以上のように、本実施の形態のバッグは、折り畳む際には底面１２から脚部４０が取り外されるため、折り畳み安く、バッグ１内に収納する際には底板が取り付けられるため、収納物の安定性も良いものとなる。
【００３８】
なお、本実施の形態１のバッグとして、ペット運搬用を例に挙げて説明したが、ペット運搬用でなく、旅行用のバッグであっても良い。また、ペット運搬用でない場合には、正面１５、左側面１３、及び右側面１４にメッシュで形成されている部分がなくてもよい。
【００３９】
また、本実施の形態では、保持部材１１１及び保持部材挿入部１１０が設けられているが設けられていなくても良い。
【００４０】
また、本発明の取り付け部の一例は、本実施の形態の底板挿入部１２０、底板固定部１２２、面ファスナー１２１、並びに面ファスナー５１、及び棒状部材７０並びに棒状部材挿入部に相当し、本実施の形態では、底板５０の端５０ｂが底板挿入部１２０に挿入されて、面ファスナー１２１が面ファスナー５１へ貼り付けられる第１の構成、及び棒状部材７０が棒状部材挿入部８０へ挿入される第２の構成によって、底板５０がバッグ本体１０に取り付けられているが、いずれか１つの構成だけが用いられていてもよい。
【００４１】
上記第１の構成だけを用いる場合には、更に面ファスナー１２１が面ファスナー５１に貼り付けられる構成が用いられていなくてもよい。この場合、バッグ本体１０内にペットや運搬物を入れることで、底面１２によって底板５０が水平部１２３ｂに押し付けられて底板５０がバッグ本体１０に保持されるものの、底板挿入部１２０の間隔が底板５０の厚みよりも少し狭く形成されている方が、より強固に保持することが出来るためより好ましい。
【００４２】
また、本実施の形態の底板挿入部１２０は、左側面１３及び右側面１４側が開放されているが、左側面１３及び右側面１４側が塞がれたポケット状であってもよい。
【００４３】
また、本実施の形態では、車輪３０と棒状部材挿入部８０は背面側支持部１３０として、一体的に形成されているが、別々に形成されていても良い。更に、車輪３０は、水平部１２３ｂに設けられているが、部材１２３以外のバッグ本体１０の底面１２に設けられていても良い。
【００４４】
なお、本実施の形態では、底板５０の底面１２と反対側に面ファスナー５１が設けられているが、底板５０と底面１２の間に面ファスナーを設けても良い。但し、底板５０を底板挿入部１２０に挿入するとともに面ファスナー同士を貼り付けなければならないため、底板５０を取り付ける動作が複雑なものとなる。
【００４５】
また、本実施の形態のように、面ファスナー５１を底板５０の下面に設けることにより、端５０ａを覆うように底板固定部１２２を構成することが出来る。この構成により、底板５０は面ファスナー５１への面ファスナー１２１の貼り付けだけでなく、端５０ａが底板固定部１２２に規制され、端５０ｂが鉛直部１２３ａによって規制されることになり、底板５０の水平方向の動きが規制され、バッグ本体１０に底板５０を強く保持することが可能となる。なお、本実施の形態の底板固定部１２２は、本発明の本体側固定部の一例に相当する。
【００４６】
また、本発明の第１固定部材の一例は、本実施の形態の面ファスナー５１に相当し、本発明の第２固定部材の一例は、本実施の形態の面ファスナー１２１に相当するが、面ファスナーに限らず、ボタンなどを用いても良く、要するに、第１固定部材と第２固定部材が嵌合することによって底板５０をバッグ本体１０に取り付けることが出来さえすればよい。
【００４７】
また、本発明の支持部の一例は、本実施の形態の一対の棒状部材７０に相当し、本発明の支持部挿入部の一例は、本実施の形態の一対の棒状部材挿入部８０に相当するが、棒状部材７０と棒状部材挿入部８０が１つずつのみ設けられていても良いし、３つ以上設けられていても良い。
【産業上の利用可能性】
【００４８】
本発明のバッグは、折り畳み安く、且つ収納物の安定性がよいという効果を有し、旅行用バッグ、ペットキャリー用バッグ等として有用である。
【図面の簡単な説明】
【００４９】
【図１】本発明にかかる実施の形態１におけるバッグ１の斜視図
【図２】本発明にかかる実施の形態１におけるバッグ１の背面図
【図３（ａ）】本発明にかかる実施の形態１におけるバッグ１に保持部材１１１を挿入することを説明するための斜視図
【図３（ｂ）】（ａ）のＳ部拡大図
【図３（ｃ）】保持部材挿入部１１０に保持部材１１１を挿入した状態を示すＳ部拡大図
【図３（ｄ）】保持部材挿入部１１０に保持部材１１１を挿入した後に面ファスナー１１２、１１３を貼り付けた状態を示すＳ部拡大図
【図４】（ａ）本発明にかかる実施の形態１におけるバッグ１の正面１５の一部を取り除いた斜視図、（ｂ）本発明にかかる実施の形態１における保持部材１１４の正面図
【図５】本発明にかかる実施の形態１におけるバッグ１の底面側から見た斜視図
【図６】本発明にかかる実施の形態１におけるバッグ１から底板５０を取り外した状態を説明するための斜視図
【図７】本発明にかかる実施の形態１におけるバッグ１に底板５０を取り付ける手順を説明するための側面図
【図８】本発明にかかる実施の形態１におけるバッグ１に底板５０を取り付けた状態を説明するための部分拡大側面図
【図９】（ａ）本発明にかかる実施の形態１におけるバッグ１から底板５０を取り外した状態の底面図、（ｂ）本発明にかかる実施の形態１におけるバッグ１を折り畳む手順を説明するための図、（ｃ）本発明にかかる実施の形態１におけるバッグ１を折り畳んだ状態を説明するための斜視図
【符号の説明】
【００５０】
１  バッグ
１０  バッグ本体
１１  背面
１２  底面
１３  左側面
１４  右側面
１５  正面
１６  ポケット
１７  ファスナー
２０  把手
３０  車輪
４０  脚部
５０  底板
６０  ベース部材
７０  用棒状部材
８０  棒状部材挿入部
【図１】
2010029549.tif 000003
【図２】
2010029549.tif 000004
【図３（ａ）】
2010029549.tif 000005
【図３（ｂ）】
2010029549.tif 000006
【図３（ｃ）】
2010029549.tif 000007
【図３（ｄ）】
2010029549.tif 000008
【図４】
2010029549.tif 000009
【図５】
2010029549.tif 000010
【図６】
2010029549.tif 000011
【図７】
2010029549.tif 000012
【図８】
2010029549.tif 000013
【図９】
2010029549.tif 000014